(57)【要約】【課題】モニタ部を着脱可能なナビゲーション装置において、本体部から取り外したモニタ部でソース映像を再生する場合に、ナビゲーション音声を適切に出力する。【解決手段】端末部と本体部とが着脱可能なナビゲーション装置において、端末部が本体部に装着されているときには、案内のための音声と、案内のための映像とは異なる第２映像のための音声とが第２音声出力部から出力される。一方、端末部が本体部に装着されていないときには、案内のための音声が前記第２音声出力部から出力されるとともに、案内のための映像とは異なる第２映像のための音声が第１音声出力部から出力される。【選択図】図３
2013234891.tif 000002
【特許請求の範囲】
【請求項１】
表示部及び第１音声出力部を有する端末部と、
前記端末部と着脱可能であり、第２音声出力部を有する本体部と、
前記表示部に、案内を行うための第１映像を表示させるナビゲーション部と、
案内のための映像とは異なる第２映像を表示させる映像出力部と、
前記端末部が前記本体部に装着されているときには、前記案内のための音声及び前記第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御部と、
を備えることを特徴とするナビゲーション装置。
【請求項２】
前記端末部が前記本体部に装着されていないときには、前記映像出力部は、前記第２映像を前記表示部に表示させることを特徴とする請求項１に記載のナビゲーション装置。
【請求項３】
前記ナビゲーション装置は車両に搭載され、
前記第１音声出力部は前記端末部のスピーカを通じて音声を出力し、
前記第２音声出力部は、前記車両のスピーカを通じて音声を出力することを特徴とする請求項１又は２に記載のナビゲーション装置。
【請求項４】
前記ナビゲーション装置は車両に搭載され、
前記第１音声出力部は前記車両のリアスピーカを通じて音声を出力し、前記第２音声出力部は前記車両のフロントスピーカを通じて音声を出力することを特徴とする請求項１又は２に記載のナビゲーション装置。
【請求項５】
表示部及び第１音声出力部を有する端末部と、前記端末部と着脱可能であり、第２音声出力部を有する本体部と、前記端末部と前記本体部のいずれか一方に設けられ、前記表示部に、案内を行うための第１映像を表示させるナビゲーション部と、を備えるナビゲーション装置によって実行されるナビゲーション方法であって、
前記端末部が前記本体部に装着されているときには、案内のための音声及び前記案内のための映像とは異なる第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御工程を有することを特徴とするナビゲーション方法。
【請求項６】
表示部及び第１音声出力部を有する端末部と、前記端末部と着脱可能であり、第２音声出力部を有する本体部と、前記端末部と前記本体部のいずれか一方に設けられ、前記表示部に、案内を行うための第１映像を表示させるナビゲーション部と、を備えるナビゲーション装置によって実行されるナビゲーションプログラムであって、
前記端末部が前記本体部に装着されているときには、案内のための音声及び前記案内のための映像とは異なる第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御工程を、前記ナビゲーション装置に実行させることを特徴とするナビゲーションプログラム。
【請求項７】
請求項６に記載のナビゲーションプログラムを記憶したことを特徴とする記憶媒体。
【発明の詳細な説明】
【技術分野】
【０００１】
本発明は、モニタ部が着脱可能なナビゲーション装置に関する。
【背景技術】
【０００２】
近年では、モニタ部を本体部から取り外し、パーソナルナビゲーション装置（ＰＮＤ）として使用可能なナビゲーション装置が提案されている。例えば、特許文献１には、モニタ部を含むポータブル機器を取り外し、歩行時にポータブルナビゲーション装置として使用可能な車載機器が記載されている。この車載機器は、ポータブル機器が車載機器から取り外されている状態ではナビゲーション音声をポータブル機器のスピーカから出力し、ポータブル機器が車載機器に取り付けられている状態ではナビゲーション音声を車載機器のスピーカから出力する。
【先行技術文献】
【特許文献】
【０００３】
【特許文献１】特開２００８−１６４６０２号公報
【発明の概要】
【発明が解決しようとする課題】
【０００４】
モニタ部が着脱可能であり、かつ、デジタルＴＶやＤＶＤなどのソース映像を再生可能なナビゲーション装置においては、モニタ部を取り外してソース映像を見る場合がある。上記の特許文献は、そのような場合のナビゲーション音声の出力方法には触れていない。
【０００５】
本発明の解決しようとする課題としては、上記のものが一例として挙げられる。本発明は、モニタ部が着脱可能なナビゲーション装置において、本体部から取り外したモニタ部でソース映像を再生する場合に、ナビゲーション音声を適切に出力する方法を提供することを目的とする。
【課題を解決するための手段】
【０００６】
請求項１に記載の発明は、ナビゲーション装置であって、表示部及び第１音声出力部を有する端末部と、前記端末部と着脱可能であり、第２音声出力部を有する本体部と、前記表示部に、案内を行うための第１映像を表示させるナビゲーション部と、案内のための映像とは異なる第２映像を表示させる映像出力部と、前記端末部が前記本体部に装着されているときには、前記案内のための音声及び前記第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御部と、を備えることを特徴とする。
【０００７】
請求項５に記載の発明は、表示部及び第１音声出力部を有する端末部と、前記端末部と着脱可能であり、第２音声出力部を有する本体部と、前記端末部と前記本体部のいずれか一方に設けられ、前記表示部に、案内を行うための第１映像を表示させるナビゲーション部と、を備えるナビゲーション装置によって実行されるナビゲーション方法であって、前記端末部が前記本体部に装着されているときには、案内のための音声及び前記案内のための映像とは異なる第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御工程を有することを特徴とする。
【０００８】
請求項６に記載の発明は、表示部及び第１音声出力部を有する端末部と、前記端末部と着脱可能であり、第２音声出力部を有する本体部と、前記端末部と前記本体部のいずれか一方に設けられ、前記表示部に、案内を行うための第１映像を表示させるナビゲーション部と、を備えるナビゲーション装置によって実行されるナビゲーションプログラムであって、前記端末部が前記本体部に装着されているときには、案内のための音声及び前記案内のための映像とは異なる第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御工程を、前記ナビゲーション装置に実行させることを特徴とする。
【図面の簡単な説明】
【０００９】
【図１】第１実施例に係るナビゲーション装置の構成を示すブロック図である。
【図２】モニタ部を本体部から取り外した状態を示すブロック図である。
【図３】第１実施例のナビゲーション装置の処理を示すフローチャートである。
【図４】第２実施例に係るナビゲーション装置の構成を示すブロック図である。
【図５】モニタ部を本体部から取り外した状態を示すブロック図である。
【図６】第２実施例のナビゲーション装置の処理を示すフローチャートである。
【発明を実施するための形態】
【００１０】
本発明の好適な実施形態では、ナビゲーション装置は、表示部及び第１音声出力部を有する端末部と、前記端末部と着脱可能であり、第２音声出力部を有する本体部と、前記表示部に、案内を行うための第１映像を表示させるナビゲーション部と、案内のための映像とは異なる第２映像を表示させる映像出力部と、前記端末部が前記本体部に装着されているときには、前記案内のための音声及び前記第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御部と、を備える。
【００１１】
上記のナビゲーション装置では、端末部と本体部とが着脱可能となっている。端末部が本体部に装着されているときには、案内のための音声と、案内のための映像とは異なる第２映像のための音声とが第２音声出力部から出力される。一方、端末部が本体部に装着されていないときには、案内のための音声が前記第２音声出力部から出力されるとともに、案内のための映像とは異なる第２映像のための音声が第１音声出力部から出力される。よって、端末部を本体部から取り外し、車両の後部座席などで同乗者がＤＶＤなどのＡＶソースを視聴する場合でも、そのＡＶソースの音声とは別に、案内のための音声を出力することができる。
【００１２】
上記のナビゲーション装置の一態様では、前記端末部が前記本体部に装着されていないときには、前記映像出力部は、前記第２映像を前記表示部に表示させる。これにより、案内のための映像とは異なる第２映像が表示部に表示されるとともに、その第２映像のための音声が第２音声出力部から出力される。
【００１３】
１つの好適な例では、前記ナビゲーション装置は車両に搭載され、前記第１音声出力部は前記端末部のスピーカを通じて音声を出力し、前記第２音声出力部は、前記車両のスピーカを通じて音声を出力する。
【００１４】
本発明の他の好適な例では、前記ナビゲーション装置は車両に搭載され、前記第１音声出力部は前記車両のリアスピーカを通じて音声を出力し、前記第２音声出力部は前記車両のフロントスピーカを通じて音声を出力する。
【００１５】
本発明の他の好適な実施形態では、表示部及び第１音声出力部を有する端末部と、前記端末部と着脱可能であり、第２音声出力部を有する本体部と、前記端末部と前記本体部のいずれか一方に設けられ、前記表示部に、案内を行うための第１映像を表示させるナビゲーション部と、を備えるナビゲーション装置によって実行されるナビゲーション方法は、前記端末部が前記本体部に装着されているときには、案内のための音声及び前記案内のための映像とは異なる第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御工程を有する。
【００１６】
この方法によっても、端末部を本体部から取り外し、車両の後部座席などで同乗者がＤＶＤなどのＡＶソースを視聴する場合でも、そのＡＶソースの音声とは別に、案内のための音声を出力することができる。
【００１７】
本発明の他の好適な実施形態では、表示部及び第１音声出力部を有する端末部と、前記端末部と着脱可能であり、第２音声出力部を有する本体部と、前記端末部と前記本体部のいずれか一方に設けられ、前記表示部に、案内を行うための第１映像を表示させるナビゲーション部と、を備えるナビゲーション装置によって実行されるナビゲーションプログラムは、前記端末部が前記本体部に装着されているときには、案内のための音声及び前記案内のための映像とは異なる第２映像のための音声を前記第２音声出力部から出力させ、前記端末部が前記本体部に装着されていないときには、前記案内のための音声を前記第２音声出力部から出力させるとともに前記第２映像のための音声を前記第１音声出力部から出力させる制御工程を、前記ナビゲーション装置に実行させる。
【００１８】
このプログラムによっても、端末部を本体部から取り外し、車両の後部座席などで同乗者がＤＶＤなどのＡＶソースを視聴する場合でも、そのＡＶソースの音声とは別に、案内のための音声を出力することができる。このナビゲーションプログラムは、記憶媒体に記憶することができる。
【実施例】
【００１９】
以下、図面を参照して本発明の好適な実施例について説明する。
【００２０】
[第１実施例]
図１は、本発明の第１実施例に係るナビゲーション装置の構成を示す。ナビゲーション装置１は、本体部１０とモニタ部２０とが着脱可能に構成される。本体部１０とモニタ部２０とは、コネクタ５を接続することにより電気的に接続される。
【００２１】
本体部１０は、ナビゲーション装置１の本体であり、車両に固定状態で取り付けられる。本体部１０は、ＡＶソース再生部１２と、操作部１３と、通信部１４と、音声出力部１５と、システムコントローラ１６とを備える。これらの要素は、バス１７により接続されている。
【００２２】
ＡＶソース再生部１２は、例えばＤＶＤプレイヤー、地上デジタル放送のチューナーなどを有し、ＤＶＤなどの映像ソースからの映像・音声情報や、ＴＶの映像・音声情報を再生する。以下、これらの映像ソースから再生される映像情報を「ソース映像」と呼び、音声情報を「ソース音声」と呼ぶ。
【００２３】
操作部１３は、ユーザがナビゲーション装置１に対して操作入力を行う際に使用されるものであり、例えば本体部１０の前面に設けられたボタンやリモコンなどである。
【００２４】
通信部１４は、モニタ部２０が本体部１０から取り外されたときに、モニタ部２０と無線通信を行うためのものである。
【００２５】
音声出力部１５は、ナビゲーション装置１が搭載された車両の車両スピーカ７に接続され、本体部１０により再生された音声を車両スピーカ７から出力させる。
【００２６】
システムコントローラ１６は、ナビゲーション装置１の全体を制御する。具体的には、システムコントローラ１６は、車両のエンジンがオンにされると、現在位置周辺の地図及び車両の現在位置を表示したり、車両の走行に伴って表示された地図及び現在位置を更新したりする。また、目的地までのルートが設定されている場合には、システムコントローラ１６は、目的地までのルート案内を行う。なお、このようなナビゲーション処理においてモニタ部２０に表示される映像を「ナビ映像」と呼び、車両スピーカ７から出力される音声を「ナビ音声」と呼ぶ。
【００２７】
また、操作部１３に対するユーザの操作入力により、ＡＶソース再生部１２の再生が指示されると、システムコントローラ１６は、ＡＶソース再生部１２を制御して、ＤＶＤの再生や地上デジタル放送のＴＶの再生を行う。
【００２８】
また、システムコントローラ１６は、本体部１０に対してモニタ部２０が装着されているか否かを、コネクタ５の電気的接続の有無に基づいて検出する。
【００２９】
一方、モニタ部２０は、表示部２１と、モニタスピーカ２２と、操作部２３と、通信部２４とを備える。これらの要素はバス２７により接続されている。
【００３０】
表示部２１は、一例として液晶表示装置により構成され、本体部１０から送信される映像を表示する。モニタスピーカ２２はモニタ部２０に設けられたスピーカであり、本体部１０から送信される音声を出力する。
【００３１】
操作部２３は、例えば表示部２１の周りに設けられたボタンなどであり、ユーザが操作入力を行うために使用される。なお、表示部２１をタッチパネル式の液晶表示装置により構成した場合には、そのタッチパネル式の液晶表示装置を表示部２１及び操作部２３として機能させることができる。
【００３２】
通信部２４は、モニタ部２０が本体部１０から取り外されたときに、本体部１０との間で無線通信を行うためのものである。具体的には、通信部２４は、本体部１０の通信部１４と無線通信を行う。
【００３３】
なお、上記の構成において、モニタ部２０は本発明の端末部に相当し、モニタスピーカ２２は第１音声出力部に相当し、車両スピーカ７は第２音声出力部に相当する。また、システムコントローラ１６は、本発明のナビゲーション部、映像出力部及び制御部に相当する。
【００３４】
次に、モニタ部２０が本体部１０に装着されている場合のナビゲーション装置１の動作について説明する。
【００３５】
モニタ部２０が本体部１０に装着されている状態では、図１に示すように、本体部１０とモニタ部２０とがコネクタ５を通じて電気的に接続される。これにより、本体部１０のバス１７とモニタ部２０のバス２７とが電気的に接続され、本体部１０とモニタ部２０とは一体として動作する。
【００３６】
車両のエンジンがオンになっている状態では、基本的にナビゲーション装置１は地図表示やルート案内などのナビゲーション処理を行う。まず、ＡＶソースが再生されていない場合、システムコントローラ１６はナビゲーション処理を実行し、コネクタ５を通じてナビ映像をモニタ部２０に送信して表示部２１に表示させるとともに、音声出力部１５を通じてナビ音声を車両スピーカ７から出力する。よって、ユーザは、本体部１０が取り付けられた車両のダッシュボード付近において表示部２１に表示されたナビ映像を見ることができ、車両スピーカ７から出力されるナビ音声を聞くことができる。
【００３７】
一方、ＡＶソース再生部１２によりＡＶソースが再生されている場合、システムコントローラ１６は、ＡＶソース再生部１２からのソース映像をコネクタ５を通じてモニタ部２０に送信し、表示部２１に表示させるとともに、音声出力部１５を通じてソース音声を車両スピーカ７から出力する。よって、ユーザは、車両のダッシュボード付近において表示部２１に表示されたソース映像を見ることができ、車両スピーカ７から出力されるソース音声を聞くことができる。但し、車両の走行中は、ソース映像の表示が禁止される。なお、ＡＶソースが再生されている場合であっても、必要に応じてナビ音声が車両スピーカ７から出力される。
【００３８】
次に、モニタ部２０が本体部１０から取り外されている場合のナビゲーション装置１の動作について説明する。
【００３９】
モニタ部２０が本体部１０に装着されていない状態では、図２に示すように、本体部１０の通信部１４とモニタ部２０の通信部２４とが無線通信を行い、情報を送受信する。モニタ部２０が本体部１０から取り外される典型的な例としては、車両の後部座席にいる同乗者が、モニタ部２０を取り外してＡＶソースを視聴する場合が挙げられる。この場合、本体部１０のシステムコントローラ１６は、ＡＶソース再生部１２から出力されるソース映像及びソース音声を、通信部１４を介して無線通信によりモニタ部２０へ送信する。モニタ部２０では、通信部２４が受信したソース映像が表示部２１に表示され、通信部２４が受信したソース音声がモニタスピーカ２２により出力される。これにより、後部座席にいる同乗者はＡＶソースを視聴することができる。
【００４０】
このとき、システムコントローラ１６は音声によるナビゲーション処理を実行する。システムコントローラ１６は、ナビ音声を音声出力部１５に供給し、車両スピーカ７から出力する。なお、ナビ映像を表示することはできない。よって、これにより、ユーザ（運転者）は、ナビ音声を聞くことができる。
【００４１】
なお、後部座席にいる同乗者は、モニタ部２０の操作部２３を用いてＡＶソースの再生、停止などの操作を行うことができる。操作部２３に対して同乗者が行った操作入力は、通信部２４を介して無線通信により本体部１０へ送られ、通信部１４を介してシステムコントローラ１６へ供給される。システムコントローラ１６は、その操作入力に応じて、ＡＶソース再生部１２を制御する。
【００４２】
次に、ナビゲーション装置１によるナビゲーション処理及びＡＶソースの再生処理について説明する。図３は、ナビゲーション装置１によるナビゲーション処理及びＡＶソースの再生処理のフローチャートである。この処理は、システムコントローラ１６が予め用意されたプログラムを実行することにより実現される。なお、この処理の開始時には、モニタ部が本体部１０に装着されているものとする。
【００４３】
まず、システムコントローラ１６は、車両のエンジンがスタートされたか否かを判定する（ステップＳ１１）。車両のエンジンがスタートすると（ステップＳ１１；Ｙｅｓ）、システムコントローラ１６は、通常のナビゲーション処理を実行する（ステップＳ１２）。具体的には、システムコントローラ１６は、地図画面などのナビ映像を表示部２１に表示し、ナビ音声を車両スピーカ７から出力する（ステップＳ１２）。
【００４４】
次に、システムコントローラ１６は、ＡＶソースが再生されているか否かを判定する（ステップＳ１３）。ＡＶソースが再生されていない場合（ステップＳ１３；Ｎｏ）、処理はステップＳ１２へ戻り、ナビゲーション処理が継続される。
【００４５】
ＡＶソースが再生されている場合（ステップＳ１３；Ｙｅｓ）、システムコントローラ１６は、コネクタ５の接続の有無に基づいて、モニタ部２０が装着されているか否かを判定する（ステップＳ１４）。モニタ部２０が装着されている場合（ステップＳ１４；Ｙｅｓ）、システムコントローラ１６は、ソース映像を表示部２１に表示するとともに、ソース音声及びナビ音声を車両スピーカ７から出力する（ステップＳ１５）。なお、実際には、ソース音声が常に出力されている状態で、案内音声などのナビ音声が必要に応じて再生されることになる。
【００４６】
一方、モニタ部２０が装着されていない場合（ステップＳ１４；Ｎｏ）、システムコントローラ１６は、ナビ音声を車両スピーカ７から出力し（ステップＳ１６）、さらにモニタ部２０と無線通信することにより、ソース映像を表示部２１に表示し、ソース音声をモニタスピーカ２２から出力する（ステップＳ１７）。
【００４７】
次に、システムコントローラ１６は、車両のエンジンがオフにされたか否かを判定する（ステップＳ１８）。車両のエンジンがオフにされていない場合（ステップＳ１８；Ｎｏ）、処理はステップＳ１３へ戻る。車両のエンジンがオフにされた場合（ステップＳ１８；Ｙｅｓ）、処理は終了する。
【００４８】
以上のように、第１実施例によれば、後部座席にいる同乗者などがモニタ部２０を取り外してＡＶソースを視聴した場合、ソース映像及びソース音声がモニタ部２０から出力されるとともに、ナビ音声が車両スピーカ７から出力される。よって、ＡＶソースが再生されているときでも、運転者は音声によるナビゲーションを利用して運転を行うことができる。
【００４９】
[第２実施例]
次に、第２実施例について説明する。図４は、第２実施例に係るナビゲーション装置の構成を示す。第２実施例に係るナビゲーション装置１ｘは、第１実施例に係るナビゲーション装置１と同様に、本体部１０と、本体部１０に着脱可能なモニタ部２０とを備える。但し、第２実施例のナビゲーション装置１ｘでは、基本的な制御を実行する要素がモニタ部２０側に設けられている。具体的には、ＡＶソース再生部２５及びシステムコントローラ２６がモニタ部２０側に設けられている。他の構成要素は、第１実施例に係るナビゲーション装置１と同様である。
【００５０】
次に、第２実施例に係るナビゲーション装置１ｘの動作について説明する。モニタ部２０が本体部１０に装着されている状態では、モニタ部２０のバス２７は本体部１０のバス１７と接続されており、本体部１０とモニタ部２０とは一体的に動作する。よって、モニタ部２０が本体部１０に接続されている状態では、第２実施例に係るナビゲーション装置１ｘは、第１実施例に係るナビゲーション装置１と同様に動作するので、その説明は省略する。
【００５１】
一方、モニタ部２０が本体部１０に装着されていない状態では、図５に示すように、本体部１０の通信部１４とモニタ部２０の通信部２４とが無線通信を行い、情報を送受信する。モニタ部２０が本体部１０から取り外される典型的な例としては、車両の後部座席にいる同乗者が、モニタ部２０を取り外してＡＶソースを視聴する場合が挙げられる。この場合、モニタ部２０のシステムコントローラ２６は、ＡＶソース再生部２５から出力されるソース映像及びソース音声を表示部２１及びモニタスピーカ２２へ供給する。よって、ソース映像は表示部２１に表示され、ソース音声がモニタスピーカ２２により出力される。これにより、後部座席にいる同乗者はＡＶソースを視聴することができる。
【００５２】
このとき、システムコントローラ２６は音声によるナビゲーション処理を実行する。具体的には、システムコントローラ２６は、通信部２４を通じてナビ音声を本体部１０へ無線送信する。本体部１０では、このナビ音声は通信部１４により受信され、音声出力部１５を通じて車両スピーカ７から出力される。これにより、ユーザ（運転者）は、ナビ音声を聞くことができる。なお、本体部１０はナビ映像を表示することはできない。
【００５３】
また、運転者が本体部１０の操作部１３に対してナビ音声の音量調整などの操作入力を行うと、その操作入力は通信部１４を通じてモニタ部２０へ無線送信される。モニタ部２０では、その操作入力は通信部２４により受信され、システムコントローラ２６へ供給される。こうして、システムコントローラ２６は、本体部１０に対して運転者が行った操作入力を実行することができる。
【００５４】
次に、ナビゲーション装置１ｘによるナビゲーション処理及びＡＶソースの再生処理について説明する。図６は、ナビゲーション装置１ｘによるナビゲーション処理及びＡＶソースの再生処理のフローチャートである。この処理は、システムコントローラ２６が予め用意されたプログラムを実行することにより実現される。なお、この処理の開始時には、モニタ部が本体部１０に装着されているものとする。
【００５５】
図６のフローチャートにおいて、ステップＳ１６ｘ、Ｓ１７ｘ以外は、図３に示す第１実施例のフローチャートと同様であるので、説明を省略する。
【００５６】
ステップＳ１６ｘでは、モニタ部２０のシステムコントローラ２６は、通信部２４、１４を利用した無線通信により、ナビ音声を本体部１０に送信し、車両スピーカ７から出力させる。ステップＳ１７ｘでは、システムコントローラ２６は、ソース映像を表示部２１に表示するとともに、ソース音声をモニタスピーカ２２から出力する。
【００５７】
以上のように、第２実施例によっても、後部座席にいる同乗者などがモニタ部２０を取り外してＡＶソースを視聴した場合、ソース映像及びソース音声がモニタ部２０から出力されるとともに、ナビ音声が車両スピーカ７から出力される。よって、ＡＶソースが再生されているときでも、運転者は音声によるナビゲーションによって運転を行うことができる。
【００５８】
[変形例]
（変形例１）
上記の実施例では、本体部１０に接続された車両スピーカ７が使用されているが、本体部１０に本体スピーカが設けられている場合には、車両スピーカ７の代わりに本体スピーカを用いても良い。即ち、モニタ部２０が本体部１０から取り外されている状態では、ナビ音声を本体部１０の本体スピーカから出力してもよい。
【００５９】
（変形例２）
上記の実施例では、本体部１０に接続された車両スピーカ７と、モニタ部２０に設けられたモニタスピーカ２２とが使用されているが、その代わりに、車両に設けられたフロントスピーカとリアスピーカを使用してもよい。即ち、車両スピーカ７の代わりに車両のフロントスピーカを使用し、モニタスピーカ２２の代わりに車両のリアスピーカを使用する。こうすると、モニタ部２０が本体部１０から取り外されている状態では、ナビ音声が車両のフロントスピーカから出力され、ソース音声が車両のリアスピーカから出力される。
【００６０】
なお、この場合の構成例としては、車両のフロントスピーカ及びリアスピーカの両方が本体部１０の音声出力部１５に接続される。ナビ音声とソース音声はともに音声出力部１５に供給されるが、音声出力部１５はナビ音声をフロントスピーカへ供給し、ソース音声をリアスピーカへ供給すればよい。
【産業上の利用可能性】
【００６１】
本発明は、モニタ部を着脱可能なナビゲーション装置に利用可能である。
【符号の説明】
【００６２】
１、１ｘ  ナビゲーション装置
７  車両スピーカ
１０  本体部
１２  ＡＶソース再生部
１５  音声出力部
２０  モニタ部
２１  表示部
２２  モニタスピーカ
【図１】
2013234891.tif 000003
【図２】
2013234891.tif 000004
【図３】
2013234891.tif 000005
【図４】
2013234891.tif 000006
【図５】
2013234891.tif 000007
【図６】
2013234891.tif 000008